(57)【要約】【課題】浴槽内に高温の湯水を差し湯することを防止することによって高温差し湯時の安全性を向上させることができる風呂システムを提供する。【解決手段】風呂システムは、給湯器１００と、風呂アダプタ９とを備えている。給湯器１００は、浴槽２０に供給される湯水２１の温度を制御可能な制御部１０と、制御部１０の制御を切り換えるためのコネクタ１１とを有する。風呂アダプタ９は浴槽２０に取り付けられ、かつ給湯器１００に接続されている。制御部１０は、給湯器１００内のコネクタ１１の接続状態に応じて、高温の湯水を風呂アダプタ９を介して浴槽２０に供給可能な高温モードと、高温モードよりも低い温度の湯水２１を風呂アダプタ９を介して浴槽２０に供給可能な安全モードとに給湯器１００の動作を切換制御可能に構成されている。【選択図】図１
2015183915.tif 000002
【特許請求の範囲】
【請求項１】
浴槽に供給される湯水の温度を制御可能な制御部と、前記制御部の制御を切り換えるためのコネクタとを有する給湯器と、
前記浴槽に取り付けられ、かつ前記給湯器に接続された風呂アダプタとを備え、
前記制御部は、前記給湯器内の前記コネクタの接続状態に応じて、高温の前記湯水を前記風呂アダプタを介して前記浴槽に供給可能な高温モードと、前記高温モードよりも低い温度の前記湯水を前記風呂アダプタを介して前記浴槽に供給可能な安全モードとに前記給湯器の動作を切換制御可能に構成されている、風呂システム。
【請求項２】
前記コネクタは、前記風呂アダプタが前記湯水の温度を検知可能なサーミスタを有しているときに接続状態とされ、前記風呂アダプタが前記サーミスタを有していないときに非接続状態とされ、
前記制御部は、前記コネクタが前記接続状態とされたときに前記給湯器の動作を前記高温モードとし、前記コネクタが非接続状態とされたときに前記給湯器の動作を前記安全モードとするように切換制御する、請求項１に記載の風呂システム。
【請求項３】
前記制御部は、前記安全モードよりも低い温度の前記湯水が前記浴槽に貯留された状態で、前記安全モードにおいて前記湯水を前記浴槽に差し湯するように前記給湯器の動作をを制御する、請求項１または２に記載の風呂システム。
【請求項４】
前記制御部は、前記安全モードで所定時間運転した後に、連続して前記湯水を前記浴槽に供給できなくするように前記給湯器を制御する、請求項１〜３のいずれか１項に記載の風呂システム。
【請求項５】
前記制御部は、前記安全モードで所定回数前記湯水を前記浴槽に供給した後に、連続して前記湯水を前記浴槽に供給できなくするように前記給湯器を制御する、請求項１〜３のいずれか１項に記載の風呂システム。
【請求項６】
前記浴槽が配置された浴室に設置された操作部をさらに備え、
前記制御部は、前記安全モードであることを報知させるように前記操作部を制御する、請求項１〜５のいずれか１項に記載の風呂システム。
【発明の詳細な説明】
【技術分野】
【０００１】
本発明は、風呂システムに関するものであり、特に、給湯器と風呂アダプタとを備えた風呂システムに関するものである。
【背景技術】
【０００２】
従来、浴槽内に湯張りされた湯水を追焚きするのではなく、浴槽に高温の湯水を差し湯することによって浴槽内の湯水の温度を上昇させる高温差し湯式給湯器が使用されている。この高温差し湯式給湯器では、高温差し湯時の安全性を考慮して、浴槽に設置された風呂アダプタに設けられたサーミスタに給湯器の制御部が接続され、この制御部によって浴槽への差し湯の温度が制御されることが望ましい。
【０００３】
たとえば、実公平２−３０８２号公報（特許文献１）には、サーミスタを有する浴槽用出湯具（風呂アダプタ）が開示されている。
【０００４】
他方、既に、サーミスタが設けられていない風呂アダプタが浴槽に設置されており、この既存の風呂アダプタに高温差し湯式給湯器が接続される場合など、高温差し湯式給湯器がサーミスタが設けられていない風呂アダプタに接続され、使用されることもある。
【先行技術文献】
【特許文献】
【０００５】
【特許文献１】実公平２−３０８２号公報
【発明の概要】
【発明が解決しようとする課題】
【０００６】
上記の高温差し湯式給湯器がサーミスタが設けられていない風呂アダプタに接続された場合には、浴槽内に湯水が湯張りされていない状態などで浴槽内に高温の湯水が給湯されるおそれがある。
【０００７】
本発明は、上記課題を鑑みてなされたものであり、その目的は、浴槽内に高温の湯水を差し湯することを防止することによって高温差し湯時の安全性を向上させることができる風呂システムを提供することである。
【課題を解決するための手段】
【０００８】
本発明の風呂システムは、給湯器と、風呂アダプタとを備えている。給湯器は、浴槽に供給される湯水の温度を制御可能な制御部と、制御部の制御を切り換えるためのコネクタとを有する。風呂アダプタは浴槽に取り付けられ、かつ給湯器に接続されている。制御部は、給湯器内のコネクタの接続状態に応じて、高温の湯水を風呂アダプタを介して浴槽に供給可能な高温モードと、高温モードよりも低い温度の湯水を風呂アダプタを介して浴槽に供給可能な安全モードとに給湯器の動作を切換制御可能に構成されている。
【０００９】
本発明の風呂システムによれば、制御部は、給湯器内のコネクタの接続状態に応じて、高温モードと、安全モードとに給湯器の動作を切換制御することができる。したがって、安全モードで高温モードよりも低い温度の湯水を浴槽に供給することができる。このため、浴槽内に高温の湯水を差し湯することを防止することができる。これにより、高温差し湯時の安全性を向上させることができる。
【００１０】
上記の風呂システムにおいて、コネクタは、風呂アダプタが湯水の温度を検知可能なサーミスタを有しているときに接続状態とされ、風呂アダプタがサーミスタを有していないときに非接続状態とされる。制御部は、コネクタが接続状態とされたときに給湯器の動作を高温モードとし、コネクタが非接続状態とされたときに給湯器の動作を安全モードとするように切換制御する。このため、制御部は、風呂アダプタがサーミスタを有しているときに高温モードにし、風呂アダプタがサーミスタを有していないときに安全モードにするように切換制御することができる。
【００１１】
上記の風呂システムにおいて、制御部は、安全モードよりも低い温度の湯水が浴槽に貯留された状態で、安全モードにおいて湯水を浴槽に差し湯するように給湯器の動作をを制御する。このため、安全モードで浴槽内の湯水の温度を上昇させることができる。
【００１２】
上記の風呂システムにおいて、制御部は、安全モードで所定時間運転した後に、連続して湯水を浴槽に供給できなくするように給湯器を制御する。このため、安全モードで所定時間運転した後に、連続して湯水を浴槽に供給できなくすることができる。これにより、所定時間内では安全モードで給湯器を使用することができる。また、所定時間後には風呂アダプタをサーミスタが設けられたものに交換させることができる。
【００１３】
上記の風呂システムにおいて、制御部は、安全モードで所定回数湯水を浴槽に供給した後に、連続して湯水を浴槽に供給できなくするように給湯器を制御する。このため、安全モードで所定回数湯水を浴槽に供給した後に、連続して湯水を浴槽に供給できなくすることができる。これにより、所定回数内では安全モードで給湯器を使用することができる。また、所定回数後には風呂アダプタをサーミスタが設けられたものに交換させることができる。
【００１４】
上記の風呂システムは、浴槽が配置された浴室に設置された操作部をさらに備えている。制御部は、安全モードであることを報知させるように操作部を制御する。このため、安全モードであることを風呂システムの使用者に認識させることができる。また、風呂アダプタをサーミスタが設けられたものに交換させることができる。
【発明の効果】
【００１５】
以上説明したように、本発明によれば、浴槽内に高温の湯水を差し湯することを防止することによって高温差し湯時の安全性を向上させることができる。
【図面の簡単な説明】
【００１６】
【図１】本発明の一実施の形態における風呂システムのコネクタが接続された構成を示す概略図である。
【図２】本発明の一実施の形態におけるコネクタの接続状態を示す概略図である。
【図３】図１に示す制御部の構成を説明するための機能ブロック図である。
【図４】本発明の一実施の形態における風呂システムのコネクタが非接続状態の構成を示す概略図である。
【図５】本発明の一実施の形態におけるコネクタの非接続状態を示す概略図である。
【図６】本発明の一実施の形態における風呂システムの他のコネクタが接続された構成を示す概略図である。
【図７】本発明の一実施の形態における他のコネクタが接続された状態を示す概略図である。
【図８】本発明の一実施の形態における給湯器の動作を示すフロー図である。
【図９】比較例における給湯器の動作を示すフロー図である。
【発明を実施するための形態】
【００１７】
以下、本発明の実施の形態について図に基づいて説明する。
まず、本発明の一実施の形態における風呂システムの構成について説明する。
【００１８】
図１を参照して、本実施の形態の風呂システムは、高温差し湯式給湯器を備えた風呂システムである。本実施の形態の風呂システムは、給湯器１００と、風呂アダプタ９と、操作部３０とを主に備えている。
【００１９】
本実施の形態の給湯器１００は、風呂アダプタ９を介して、浴槽２０に湯水２１を供給可能に構成されている。浴槽２０は、浴室２００に設置されており、かつ入浴者が入浴可能に構成されている。操作部３０は、給湯器１００に接続されており、給湯器１００を操作可能に構成されている。
【００２０】
本実施の形態の給湯器１００は、サーミスタ１２を有する風呂アダプタ９またはサーミスタ１２を有さない風呂アダプタ９のいずれも接続可能に構成されている。まず、本実施の形態の給湯器１００にサーミスタ１２を有する風呂アダプタ９が接続された構成について説明する。
【００２１】
本実施の形態における給湯器１００は、筺体１と、燃焼装置２と、送風装置３と、熱交換器４と、給水配管５と、給湯配管６と、風呂配管７と、温度検知部８と、制御部１０と、接続部ＣＰと、コネクタ１１と、通電線１１ａと、バイパス弁１３と、湯張り弁１４と、差し湯弁１５とを主に有している。
【００２２】
筺体１は、筺体１内外に連通するように設けられ、燃焼ガスを排気するための排気口１ａを有している。筺体１は、燃焼装置２と、送風装置３と、熱交換器４と、給水配管５と、給湯配管６と、温度検知部８と、制御部１０と、接続部ＣＰと、コネクタ１１と、通電線１１ａと、バイパス弁１３と、湯張り弁１４と、差し湯弁１５とを内部空間に収容している。また、筺体１は風呂配管７の一部を内部空間に収容している。
【００２３】
燃焼装置２は、燃焼ガスを供給するためのものである。この燃焼ガスは、熱交換器４との間で熱交換を行なうためのものである。燃焼装置２は、熱交換器４内の湯水２１を加熱可能に構成されている。燃焼装置２は給湯器１００の高さ方向の中央部に配置されている。
【００２４】
送風装置３は、燃焼装置２に燃焼用の空気を供給するためのものである。送風装置３は、羽根３ａと、羽根３ａを回転可能なモータ３ｂとを有している。モータ３ｂに電流が印加されることにより羽根３ａは回転するように構成されている。送風装置３は、燃焼装置２よりも下方に配置されている。また、送風装置３は熱交換器４よりも下方に配置されている。
【００２５】
熱交換器４は、燃焼装置２によって供給された燃焼ガスの熱を回収するためのものである。熱交換器４は燃焼装置２よりも上方に配置されている。熱交換器４は排気口１ａの近傍に配置されている。熱交換器４は被加熱流体を流通可能な伝熱管と、この伝熱管を収容可能なケースとを有している。
【００２６】
熱交換器４の一方端に給水配管５が接続されており、他方端に給湯配管６が接続されている。給水配管５は、入水口５ａから熱交換器４に被加熱流体である水を給水可能に構成されている。給湯配管６は、熱交換器４から出湯口６ａに熱交換器４で温められた温水を給湯可能に構成されている。これにより、入水口５ａから給水された水は、熱交換器４を通過する際に燃焼ガスによって加熱されて出湯口６ａから給湯される。
【００２７】
給水配管５と給湯配管６とはバイパス弁１３を介して互いに接続されている。バイパス弁１３の位置制御による開度調整により出湯口６ａからの出湯に対する水の混合比が調整される。給湯配管６と風呂配管７とは湯張り弁１４を介して互いに接続されている。湯張り弁１４の位置制御による開度調整により風呂アダプタ９からの出湯に対する水の混合比が調整される。給水配管５からバイパス弁１３および湯張り弁１４を介して給湯配管６の温水に水が混合されて所定の湯張り温度に調整された湯水が風呂アダプタ９から浴槽に供給される。
【００２８】
また、給湯配管６と風呂配管７とは差し湯弁１５を介して接続されている。風呂配管７は熱交換器４で加熱された高温の湯水２１を給湯配管６から差し湯弁１５を介して風呂アダプタ９に供給し、風呂アダプタ９から浴槽２０に差し湯可能に構成されている。
【００２９】
温度検知部８は風呂配管７内の湯水２１の温度を検知可能に構成されている。これにより、温度検知部８は、給湯配管６および風呂配管７において温度が調整された湯水の温度を検知することが可能である。したがって、所定の温度に調整された湯水を風呂配管７から風呂アダプタ９を経由して浴槽２０に供給することが可能である。温度検知部８は、たとえばサーミスタである。
【００３０】
風呂アダプタ９は浴槽２０に取り付けられている。風呂アダプタ９は給湯器１００に接続されている。風呂アダプタ９はサーミスタ１２を有している。風呂アダプタ９は、サーミスタ１２の検出温度を給湯器１００の制御部１０に出力可能に構成されている。サーミスタ１２は、風呂アダプタ９からの給湯される湯水２１の温度を測定可能に構成されている。
【００３１】
制御部１０は浴槽２０に供給される湯水２１の温度を制御可能に構成されている。制御部１０は、燃焼装置２、送風装置３、温度検知部８、コネクタ１１、サーミスタ１２、バイパス弁１３と、湯張り弁１４と、差し湯弁１５、操作部３０に電気的に接続されている。
【００３２】
制御部１０は接続部ＣＰを有している。接続部ＣＰはコネクタ１１と接続可能に構成されている。制御部１０は、コネクタ１１が接続部ＣＰを介して制御部１０に接続されているか否かの接続状態に応じて、高温の湯水２１を浴槽２０に供給可能な高温モードと、高温モードよりも低い温度の湯水２１を浴槽２０に供給可能な安全モードとに給湯器１００の動作を切換制御可能に構成されている。高温モードではたとえば８０℃または９０℃以下の湯水が供給され得る。他方、安全モードではたとえば６０℃以下の湯水が供給され得る。
【００３３】
コネクタ１１は制御部１０の制御を切り換えるためのものである。コネクタ１１は、制御部１０の接続部ＣＰに接続可能に構成されている。接続部ＣＰおよびコネクタ１１のいずれか一方が凹部を有し、他方が凹部に嵌合可能な凸部を有し、凹部と凸部が嵌合することによって接続部ＣＰとコネクタ１１とが接続されていてもよい。
【００３４】
コネクタ１１は通電線１１ａを有している。図２に示すように、接続部ＣＰにコネクタ１１が接続されると、通電線１１ａによって制御部１０の接続部ＣＰを含む電気回路は短絡された状態となる。制御部１０はこの状態を検知することによって、コネクタ１１が接続されていることを検知可能である。他方、接続部ＣＰからコネクタ１１が取り外された状態では、接続部ＣＰを含む電気回路は電気的遮断状態となる。
【００３５】
操作部３０は、給湯器１００を操作するためのものである。操作部３０は浴槽２０が配置された浴室２００に設置されている。操作部３０は、情報を表示するための表示部３１と、操作を行うための操作スイッチ３２と、スピーカ３３とを有している。表示部３１は浴槽２０の湯水２１の温度および水位などを表示可能に構成されている。また、表示部３１は、安全モードにおいて、安全モードであることを表示することにより報知可能に構成されている。
【００３６】
操作スイッチ３２は浴槽２０の湯水２１の温度および水位などを任意に設定可能に構成されている。スピーカ３３は浴槽２０の湯水２１が所定の温度および水位などになったことを発信音により報知可能に構成されている。また、スピーカ３３は、安全モードにおいて、安全モードであることを発信音により報知可能に構成されている。
【００３７】
図３を参照して、本実施の形態の給湯器の制御部１０の構成についてさらに詳しく説明する。
【００３８】
制御部１０は、制御手段１０ａと、コネクタ判定手段１０ｂと、燃焼判定手段１０ｃと、温度判定手段１０ｄと、弁開度判定手段１０ｅと、温度判定手段１０ｆとを主に有している。制御手段１０ａは、コネクタ判定手段１０ｂと、燃焼判定手段１０ｃと、温度判定手段１０ｄと、弁開度判定手段１０ｅと、温度判定手段１０ｆと、タイマ１０ｇと、記憶手段１０ｈとからの信号に基づいて、燃焼装置２、送風装置３、バイパス弁１３、湯張り弁１４、差し湯弁１５、操作部３０の動作を制御可能に構成されている。
【００３９】
コネクタ判定手段１０ｂは、コネクタ１１の接続状態を判定するためのものである。燃焼判定手段１０ｃは燃焼装置の燃焼状態を判定するためのものである。温度判定手段１０ｄはサーミスタ１２で検知された風呂アダプタ９から供給される湯水２１の温度を判定するためのものである。弁開度判定手段１０ｅはバイパス弁１３、湯張り弁１４、差し湯弁１５の各々の弁開度を判定するためのものである。温度判定手段１０ｆは温度検知部８で検知された風呂配管７内の湯水２１の温度を判定するためのものである。タイマ１０ｇは時間を測定し、時間に基づく信号を制御手段１０ａに送るためのものである。記憶手段１０ｈは安全モードにおいて湯水２１を浴槽２０に供給した回数を記憶するためのものである。
【００４０】
続いて、図４および図５を参照して、本実施の形態の給湯器１００にサーミスタ１２を有さない風呂アダプタ９が接続された構成について説明する。
【００４１】
この構成では、図４に示すように、風呂アダプタ９はサーミスタ１２を有していない。また、図４および図５に示すように、制御部１０の接続部ＣＰにコネクタ１１が接続されていない。制御部１０にコネクタ１１が接続されていないため、制御部１０の接続部ＣＰを含む電気回路は開放された状態となる。制御部１０はこの状態を検知することによって、コネクタ１１が接続されていないことを検知可能である。
【００４２】
この構成では、コネクタ１１は、風呂アダプタ９が湯水の温度を検知可能なサーミスタ１２を有しているときに接続状態とされ、風呂アダプタ９がサーミスタ１２を有していないときに非接続状態とされる。そして、制御部１０は、コネクタ１１が接続状態とされたときに給湯器１００の動作を高温モードとし、コネクタが非接続状態とされたときに給湯器１００の動作を安全モードとするように切換制御する。給湯器１００の製造時にコネクタ１１は接続部ＣＰに接続され、コネクタ１１は接続状態とされる。その後の給湯器１００の施工時において給湯器１００が風呂アダプタ９に接続される際に、風呂アダプタ９のタイプにあわせるために作業員によってコネクタ１１が接続部ＣＰから取り外されることにより、コネクタ１１が非接続状態とされる。
【００４３】
再び図３を参照して、制御部１０のモードの切換制御について詳しく説明する。
制御手段１０ａはコネクタ判定手段１０ｂの信号に基づいて湯水２１を浴槽２０に供給するモードを切換制御するように構成されている。具体的には、制御手段１０ａは、コネクタ判定手段１０ｂのコネクタ１１が接続状態にあるとの信号に基づいて、高温の湯水２１を浴槽２０に供給可能な高温モードに切換制御する。この高温モードでは、燃焼装置２の燃焼量、送風装置３の送風量を増やすことによって、湯水の温度が高温にされ得る。また、バイパス弁１３、湯張り弁１４、差し湯弁１５の各々の弁開度を調整することによって、水の混合割合を少なくして湯水の温度が高温にされ得る。
【００４４】
他方、制御手段１０ａはコネクタ判定手段１０ｂのコネクタ１１が非接続状態にあるとの信号に基づいて、高温モードよりも低い温度の湯水２１を浴槽２０に供給可能な安全モードに切換制御する。この安全モードでは、燃焼装置２の燃焼量、送風装置３の送風量を減らすことによって、湯水の温度が低温にされ得る。また、バイパス弁１３、湯張り弁１４、差し湯弁１５の各々の弁開度を調整することによって、水の混合割合を多くして湯水の温度が低温にされ得る。この結果、高温モードではたとえば８０℃または９０℃の差し湯が供給される。他方、安全モードではたとえば６０℃以下の差し湯が供給される。つまり、制御部１０は、安全モードよりも低い温度の湯水２１が浴槽２０に貯留された状態で、安全モードにおいて湯水を浴槽に差し湯するように給湯器１００の動作をを制御する。このため、高温差し湯時の安全性を向上させることができる。
【００４５】
また、制御部１０は、安全モードで所定時間、給湯器１００を運転した後に、連続して湯水２１を浴槽２０に供給できなくするように給湯器１００を制御してもよい。具体的には、制御手段１０ａは、安全モードの開始から所定時間内であるとのタイマ１０ｇからの信号に基づいて、安全モードにおいて湯水２１を浴槽２０に供給するように燃焼装置２、送風装置３、バイパス弁１３、湯張り弁１４、差し湯弁１５を制御する。この所定時間はたとえば７２時間である。そして、制御手段１０ａは、安全モードの開始から所定時間後には、一端湯水２１を浴槽２０に供給できなくしてもよい。
【００４６】
また、制御部１０は、安全モードで所定回数湯水２１を浴槽２０に供給した後に、連続して湯水２１を浴槽２０に供給できなくするように給湯器１００を制御してもよい。具体的には、制御手段１０ａは、安全モードにおいて湯水２１の浴槽２０への供給回数が所定回数内であるとの記憶手段１０ｈからの信号に基づいて、安全モードにおいて湯水２１を浴槽２０に供給するように燃焼装置２、送風装置３、バイパス弁１３、湯張り弁１４、差し湯弁１５を制御する。この所定回数はたとえば２０回である。そして、制御手段１０ａは、安全モードの開始から所定回数湯水２１を浴槽２０に供給した後には、一端湯水２１を浴槽２０に供給できなくしてもよい。
【００４７】
また、制御部１０は、安全モードであることを報知させるように操作部３０を制御してもよい。具体的には、制御手段１０ａは、安全モードにおいて、安全モードであることを表示するように表示部３１を制御する。また、制御手段１０ａは安全モードにおいて、安全モードであることを発信音により報知するようにスピーカ３３を制御してもよい。
【００４８】
続いて、図６および図７を参照して、本実施の形態の給湯器１００にサーミスタ１２を有さない風呂アダプタ９が接続された他の構成について説明する。
【００４９】
この構成でも、図６に示すように、風呂アダプタ９はサーミスタ１２を有していない。この風呂アダプタ９は、所定温度以上の湯水２１が供給されると自動で閉止するように構成されていてもよい。この所定温度は、たとえは８０℃または９０℃である。また、図６および図７に示すように、制御部１０の接続部ＣＰに他のコネクタ４１が接続されている。このコネクタ４１はサーミスタ１２を有していない風呂アダプタ９と一緒に販売されていてもよい。このコネクタ４１の通電線４１ａは抵抗Ｒを有している。この抵抗Ｒの抵抗値は通電線４１ａ自体の抵抗値よりも大きくなっている。したがって、図７に示すように、接続部ＣＰにコネクタ４１が接続されると、制御部１０の接続部ＣＰを含む電気回路は抵抗値が大きくなる。制御部１０はこの状態を検知することによって、上記のコネクタ１１ではなく、コネクタ４１が接続されていることを検知可能である。
【００５０】
次に、本実施の形態の給湯器の高温モードおよび安全モードでの運転について説明する。図３および図８を参照して、コネクタ１１の接続が検知されるか否かがコネクタ判定手段１０ｂによって判定される（ステップＳ１）。このとき、コネクタ判定手段１０ｂが抵抗値０〜αΩを検知することによってコネクタ１１の接続が検知されるか否かが判定される。ここで、コネクタ１１の接続が検知されない場合には、コネクタ１１の接続が検知されるまで判定が繰り返される。
【００５１】
他方、コネクタ１１の接続が検知された場合には、風呂アダプタ９のサーミスタ１２と制御部１０との接続が検知されるか否かが制御手段１０ａによって判定される（ステップＳ２）。ここで、風呂アダプタ９のサーミスタ１２と制御部１０との接続が検知された場合には、給湯器１００は高温モードで運転される（ステップＳ３）。
【００５２】
他方、風呂アダプタ９のサーミスタ１２と制御部１０との接続が検知されない場合には、コネクタ１１とは別のコネクタ４１の接続が検知されるか否かがコネクタ判定手段１０ｂによって判定される（ステップＳ４）。このとき、コネクタ判定手段１０ｂが抵抗値β〜θΩを検知することによってコネクタ４１の接続が検知されるか否かが判定される。つまり、コネクタ１１からコネクタ４１に交換されているか否かが判定される。コネクタ４１の接続が検知された場合には、給湯器１００は高温モードで運転される（ステップＳ８）。
【００５３】
他方、コネクタ４１の接続が検知されない場合には、コネクタ１１が接続されたままである。続いて、このコネクタ１１が接続部ＣＰから抜かれる（ステップＳ５）。そして、コネクタ１１の非接続が検知されるか否かがコネクタ判定手段１０ｂによって判定される（ステップＳ６）。コネクタ１１の非接続が検知された場合には、給湯器１００は安全モードで運転される（ステップＳ７）。なお、コネクタ１１の非接続が検知されない場合には、再びステップＳ１に戻って判定される。
【００５４】
次に、本実施の形態の作用効果について、比較例と対比して説明する。
図９を参照して、比較例の給湯器の高温モードおよび安全モードでの運転について説明する。比較例の給湯器では、本実施の形態の給湯器と同様に、コネクタ１１の接続が検知されるか否かがコネクタ判定手段１０ｂによって判定される（ステップＳ１１）。続いて、風呂アダプタ９のサーミスタ１２と制御部１０との接続が検知されるか否かが制御手段１０ａによって判定される（ステップＳ１２）。ここで、風呂アダプタ９のサーミスタ１２と制御部１０との接続が検知された場合には、給湯器１００は高温モードで運転される（ステップＳ１３）。
【００５５】
他方、風呂アダプタ９のサーミスタ１２と制御部１０との接続が検知されない場合には、コネクタ１１とは別のコネクタ４１の接続が検知されるか否かがコネクタ判定手段１０ｂによって判定される（ステップＳ１４）。コネクタ４１の接続が検知された場合には、給湯器１００は高温モードで運転される（ステップＳ１８）。
【００５６】
他方、コネクタ４１の接続が検知されない場合には、コネクタ１１が接続されたままである。続いて、このコネクタ１１が接続部ＣＰから抜かれる（ステップＳ１５）。そして、コネクタ１１の非接続が検知されるか否かがコネクタ判定手段１０ｂによって判定される（ステップＳ１６）。コネクタ１１の非接続が検知された場合には、給湯器１００は作動しない（ステップＳ１７）。つまり、比較例の給湯器は、安全モードに切換制御されないため、高温モードよりも低い温度の湯水を浴槽に供給することができない。このため、浴槽内に高温の湯水を差し湯することを防止できない。
【００５７】
これに対して、本実施の形態の風呂システムによれば、制御部１０は、給湯器１００内のコネクタ１１の接続状態に応じて、高温モードと、安全モードとに給湯器１００の動作を切換制御することができる。つまり、給湯器１００の製造時に接続状態とされたコネクタ１１が、給湯器１００の施工時に風呂アダプタ９のタイプにあわせるために作業員によって非接続状態とされることによって、コネクタ１１の接続状態が変化する。このコネクタ１１の接続状態に応じて、高温モードと、安全モードとに給湯器１００の動作が切換制御される。したがって、安全モードで高温モードよりも低い温度の湯水２１を浴槽２０に供給することができる。このため、浴槽２０内に高温の湯水２１を差し湯することを防止することができる。これにより、高温差し湯時の安全性を向上させることができる。
【００５８】
また、本実施の形態の風呂システムでは、給湯器１００内のコネクタ１１の接続状態に応じて、高温モードと安全モードとが切換制御される。このため、給湯器１００の施工時に作業員によって高温モードと安全モードとを切換制御することができる。したがって、入浴者が高温モードと安全モードとを切換制御しないようにすることで、入浴者が誤って切換制御することによって浴槽２０内に高温の湯水２１を差し湯することを防止することができる。
【００５９】
また、コネクタ１１の接続および非接続によって高温モードと安全モードとが切換制御されるため、確実に高温モードと安全モードとを切換制御することができる。
【００６０】
また、本実施の形態の風呂システムでは、浴槽２０内に湯張りされた湯水２１を追焚きするのではなく、浴槽２０に高温の湯水２１を差し湯することによって浴槽２０内の湯水２１の温度を上昇させる。このため、浴槽２０内の湯水の温度を上昇させるためには、高温の湯水２１を差し湯する必要がある。したがって、浴槽２０内に湯水が湯張りされていない場合および浴槽２０内に湯張りされた湯水２１が少ない場合などに高温の湯水２１が差し湯されるおそれがある。本実施の形態では、安全モードに切換えることで、浴槽２０内に高温の湯水２１を差し湯することを確実に防止することができる。これにより、高温差し湯時の安全性を向上させることができる。
【００６１】
また、本実施の形態の風呂システムでは、追焚き回路が不要であるため、追焚きする場合に比べて簡易な設備で浴槽２０内の湯水２１の温度を上昇させることができる。
【００６２】
本実施の形態の風呂システムにおいて、制御部１０は、風呂アダプタ９がサーミスタ１２を有しているときに高温モードにし、風呂アダプタ９がサーミスタ１２を有していないときに安全モードにするように切換制御することができる。
【００６３】
本実施の形態の風呂システムにおいて、制御部１０は、安全モードよりも低い温度の湯水２１が浴槽２０に貯留された状態で、安全モードにおいて湯水２１を浴槽２０に差し湯するように給湯器１００の動作を制御する。このため、安全モードで浴槽２０内の湯水２１の温度を上昇させることができる。
【００６４】
本実施の形態の風呂システムにおいて、制御部１０は、、安全モードで所定時間運転した後に、連続して湯水２１を浴槽２０に供給できなくするように給湯器１００を制御する。このため、安全モードで所定時間運転した後に、連続して湯水２１を浴槽２０に供給できなくすることができる。これにより、所定時間内では安全モードで給湯器１００を使用することができる。つまり、所定時間、暫定的に安全モードで給湯器１００を使用することができる。また、所定時間後には風呂アダプタ９をサーミスタ１２が設けられたものに交換させることができる。
【００６５】
本実施の形態の風呂システムにおいて、制御部１０は、安全モードで所定回数湯水２１を浴槽２０に供給した後に、連続して湯水２１を浴槽２０に供給できなくするように給湯器１００を制御する。このため、安全モードで所定回数湯水２１を浴槽２０に供給した後に、連続して湯水２１を浴槽２０に供給できなくすることができる。これにより、所定回数内では安全モードで給湯器１００を使用することができる。つまり、所定回数、暫定的に安全モードで給湯器１００を使用することができる。また、所定回数後には風呂アダプタ９をサーミスタ１２が設けられたものに交換させることができる。
【００６６】
本実施の形態の風呂システムにおいて、制御部１０は、安全モードであることを報知させるように操作３０部を制御する。このため、安全モードであることを風呂システムの使用者に認識させることができる。また、風呂アダプタ９をサーミスタ１２が設けられたものに交換させることができる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１  筺体、２  燃焼装置、３  送風装置、４  熱交換器、５  給水配管、６  給湯配管、７  風呂配管、８  温度検知部、９  風呂アダプタ、１０  制御部、１０ａ  制御手段、１０ｂ  コネクタ判定手段、１０ｃ  燃焼判定手段、１０ｄ，１０ｆ  温度判定手段、１０ｅ  弁開度判定手段、１０ｇ  タイマ、１０ｈ  記憶手段、１１，４１  コネクタ、１１ａ，４１ａ  通電線、１２  サーミスタ、１３  バイパス弁、１４  湯張り弁、１５  差し湯弁、２０  浴槽、２１  湯水、３０  操作部、３１  表示部、３２  操作スイッチ、３３  スピーカ、１００  給湯器、２００  浴室。
【図１】
2015183915.tif 000003
【図２】
2015183915.tif 000004
【図３】
2015183915.tif 000005
【図４】
2015183915.tif 000006
【図５】
2015183915.tif 000007
【図６】
2015183915.tif 000008
【図７】
2015183915.tif 000009
【図８】
2015183915.tif 000010
【図９】
2015183915.tif 000011